(57)【特許請求の範囲】
【請求項１】
単独で携帯型顕微鏡として機能するヘッドと機械的かつ電気的に接続される顕微鏡用スタンドであって、
前記ヘッドと機械的に接続するための第１の機械接続部と、
前記第１の機械接続部とは異なる位置に設けられ、前記ヘッドと電気的に接続するための第１の電気接続部と
を備え、
前記第１の機械接続部と前記第１の電気接続部の相対的な位置関係は、前記第１の機械接続部および前記第１の電気接続部と接続される、前記ヘッドの第２の機械接続部と第２の電気接続部の相対的な位置関係と同じとなっており、
前記ヘッドと前記スタンドとは、前記第１の機械接続部と前記第２の機械接続部とが所定方向に嵌合されることで機械的に接続されるとともに、前記第１の電気接続部と前記第２の電気接続部とが前記所定方向に嵌合されることで電気的に接続され、
前記ヘッドと前記スタンドの接続時において、前記所定方向は、前記携帯型顕微鏡に含まれる光学系の光軸と略平行であり、前記所定方向と垂直な前記ヘッドに形成された面が押し当てられて前記ヘッドを係止する、前記所定方向と垂直な当接面をさらに備え、
前記ヘッドは、前記ヘッドと前記スタンドの接続時において、前記第１の電気接続部が前記第２の電気接続部に前記所定方向に挿入可能な限度まで挿入される前に、前記当接面により係止される
ことを特徴とする顕微鏡用スタンド。
【請求項２】
前記第１の電気接続部は、前記スタンドに対して前記所定方向と垂直な方向に可動する
ことを特徴とする請求項１に記載の顕微鏡用スタンド。
【請求項３】
前記第１の機械接続部および前記第１の電気接続部が設けられ、接続された前記ヘッドを前記ヘッド内の前記光学系の光軸方向に移動させる保持部と、
観察対象が載置されるステージと
をさらに備え、
前記ヘッドは、前記ヘッドが前記ステージに最も近付いた状態となるように前記保持部を移動させた場合に、前記ヘッド内の前記光学系の焦点面が前記ステージの載置面の位置となるように、前記保持部に接続される
ことを特徴とする請求項１または請求項２に記載の顕微鏡用スタンド。
【請求項４】
顕微鏡用スタンドと機械的かつ電気的に接続され、前記スタンドに保持される携帯型顕微鏡であって、
前記スタンドと機械的に接続するための第２の機械接続部と、
前記第２の機械接続部とは異なる位置に設けられ、前記スタンドと電気的に接続するための第２の電気接続部と、
光学系と
を備え、
前記第２の機械接続部と前記第２の電気接続部の相対的な位置関係は、前記第２の機械接続部および前記第２の電気接続部と接続される、前記スタンドの第１の機械接続部と第１の電気接続部の相対的な位置関係と同じとなっており、
前記第２の機械接続部は、その長手方向が、前記光学系の光軸と略平行になるように形成され、
前記携帯型顕微鏡と前記スタンドとは、前記第２の機械接続部と前記第１の機械接続部とが前記長手方向に嵌合されることで機械的に接続されるとともに、前記第２の電気接続部と前記第１の電気接続部とが前記長手方向に嵌合されることで電気的に接続され、
前記携帯型顕微鏡と前記スタンドの接続時において、前記長手方向と垂直な前記スタンドに形成された面に押し当てられて前記携帯型顕微鏡を係止させる、前記長手方向と垂直な当接面をさらに備え、
前記携帯型顕微鏡は、前記携帯型顕微鏡と前記スタンドの接続時において、前記第２の電気接続部が前記第１の電気接続部に前記長手方向に挿入可能な限度まで挿入される前に、前記当接面により係止される
ことを特徴とする携帯型顕微鏡。
【請求項５】
前記第２の電気接続部は、前記携帯型顕微鏡に対して前記長手方向と垂直な方向に可動する
ことを特徴とする請求項４に記載の携帯型顕微鏡。
【発明の詳細な説明】
【技術分野】
【０００１】
本発明は、ヘッドとスタンドからなり、スタンドから取り外したヘッド単独で試料を観察できる顕微鏡システムに用いて好適なスタンドおよびヘッドに関する。
【背景技術】
【０００２】
従来、デジタルマイクロスコープと呼ばれる顕微鏡が知られている。デジタルマイクロスコープは、筒形状のヘッドと、ヘッドを機械的に保持するスタンドとからなる顕微鏡であり、ヘッドには光学系と、光学系により導かれた、試料からの観察光を撮像するCCD（Charge Coupled Devices）とが設けられている（例えば、特許文献１参照）。
【０００３】
デジタルマイクロスコープで試料を観察する場合、ヘッドの動作を制御するコントローラと、CCDにより撮像された試料の観察画像を表示させるモニタが、ケーブルによりヘッドに接続される。そして、観察対象となる試料に応じて、ヘッドがスタンドから取り外された状態、またはヘッドがスタンドに取り付けられた状態で観察が行われる。
【先行技術文献】
【特許文献】
【０００４】
【特許文献１】特開２００８−１７５８９３号公報
【発明の概要】
【発明が解決しようとする課題】
【０００５】
ところが、デジタルマイクロスコープを用いた観察では、コントローラやモニタがケーブルによりヘッドに接続されるため、ケーブルの引き回しが煩雑で使い勝手が悪いだけでなく、ケーブルの長さ等の制約から、試料の観察環境も良好とはいえなかった。
【０００６】
そこで、スタンドにモニタやコントローラを接続し、スタンドとヘッドとを機械的にだけでなく、電気的にも接続することができれば、デジタルマイクロスコープの使い勝手を向上させることができるものと考えられる。しかしながら、ヘッドとスタンドを機械的に接続する機械接続部、およびヘッドとスタンドを電気的に接続する電気接続部を一体的に設けると、ヘッドをスタンドに装着するときに機械接続部等が電気接続部にぶつかってしまい、電気接続部が破損してしまう恐れがある。
【０００７】
本発明は、このような状況に鑑みてなされたものであり、ヘッドとスタンドとを機械的および電気的に接続しようとする場合に、電気接続部の破損を防止できるようにするものである。
【課題を解決するための手段】
【０００８】
本発明の顕微鏡用スタンドは、単独で携帯型顕微鏡として機能するヘッドと機械的かつ電気的に接続される顕微鏡用スタンドであって、前記ヘッドと機械的に接続するための第１の機械接続部と、前記第１の機械接続部とは異なる位置に設けられ、前記ヘッドと電気的に接続するための第１の電気接続部とを備え、前記第１の機械接続部と前記第１の電気接続部の相対的な位置関係は、前記第１の機械接続部および前記第１の電気接続部と接続される、前記ヘッドの第２の機械接続部と第２の電気接続部の相対的な位置関係と同じとなっており、前記ヘッドと前記スタンドとは、前記第１の機械接続部と前記第２の機械接続部とが所定方向に嵌合されることで機械的に接続されるとともに、前記第１の電気接続部と前記第２の電気接続部とが前記所定方向に嵌合されることで電気的に接続され、前記ヘッドと前記スタンドの接続時において、前記所定方向は、前記携帯型顕微鏡に含まれる光学系の光軸と略平行であり、前記所定方向と垂直な前記ヘッドに形成された面が押し当てられて前記ヘッドを係止する、前記所定方向と垂直な当接面をさらに備え、前記ヘッドは、前記ヘッドと前記スタンドの接続時において、前記第１の電気接続部が前記第２の電気接続部に前記所定方向に挿入可能な限度まで挿入される前に、前記当接面により係止されることを特徴とする。
【０００９】
本発明の携帯型顕微鏡は、顕微鏡用スタンドと機械的かつ電気的に接続され、前記スタンドに保持される携帯型顕微鏡であって、前記スタンドと機械的に接続するための第２の機械接続部と、前記第２の機械接続部とは異なる位置に設けられ、前記スタンドと電気的に接続するための第２の電気接続部と、光学系とを備え、前記第２の機械接続部と前記第２の電気接続部の相対的な位置関係は、前記第２の機械接続部および前記第２の電気接続部と接続される、前記スタンドの第１の機械接続部と第１の電気接続部の相対的な位置関係と同じとなっており、前記第２の機械接続部は、その長手方向が、前記光学系の光軸と略平行になるように形成され、前記携帯型顕微鏡と前記スタンドとは、前記第２の機械接続部と前記第１の機械接続部とが前記長手方向に嵌合されることで機械的に接続されるとともに、前記第２の電気接続部と前記第１の電気接続部とが前記長手方向に嵌合されることで電気的に接続され、前記携帯型顕微鏡と前記スタンドの接続時において、前記長手方向と垂直な前記スタンドに形成された面に押し当てられて前記携帯型顕微鏡を係止させる、前記長手方向と垂直な当接面をさらに備え、前記携帯型顕微鏡は、前記携帯型顕微鏡と前記スタンドの接続時において、前記第２の電気接続部が前記第１の電気接続部に前記長手方向に挿入可能な限度まで挿入される前に、前記当接面により係止されることを特徴とする。
【発明の効果】
【００１０】
本発明によれば、ヘッドとスタンドとを機械的および電気的に接続しようとする場合に、電気接続部の破損を防止することができる。
【図面の簡単な説明】
【００１１】
【図１】本願発明を適用した顕微鏡観察システムの一実施の形態の構成例を示す図である。
【図２】ヘッドの外観を示す斜視図である。
【図３】ヘッドの外観を示す上面図である。
【図４】アームの外観を示す斜視図である。
【図５】アームの外観を示す上面図である。
【図６】アームの外観を示す右側面図である。
【発明を実施するための形態】
【００１２】
以下、図面を参照して、本発明を適用した実施の形態について説明する。
【００１３】
［顕微鏡観察システムの構成例］
図１は、本発明を適用した顕微鏡観察システムの一実施の形態の構成例を示す図である。
【００１４】
この顕微鏡観察システムは、顕微鏡１１と、顕微鏡１１に接続されたモニタ１２とからなり、顕微鏡観察システムにより観察対象の試料１３が観察される。
【００１５】
顕微鏡１１は、試料１３を観察するための光学系、撮像素子、各部を制御する電気系等が設けられたヘッド２１と、ヘッド２１が固定されるスタンド２２とからなり、ヘッド２１はスタンド２２に対して着脱可能となっている。
【００１６】
図１の例では、ヘッド２１とスタンド２２とは、機械的にかつ電気的に接続された状態となっており、スタンド２２に設けられたステージ３１上に試料１３が載置されている。なお、ヘッド２１は、スタンド２２から取り外された状態であっても、ヘッド２１単体で１つの携帯型顕微鏡として機能するようになされている。
【００１７】
ヘッド２１には、把持部３２が形成されており、ユーザは把持部３２を把持することで、ヘッド２１を携帯して容易に操作を行なうことができる。また、把持部３２には、ユーザが試料１３の観察画像をキャプチャさせるときに操作されるボタン３３が設けられている。
【００１８】
ヘッド２１のステージ３１側の端には、ヘッド２１の筐体内壁に沿って複数のLED（Light Emitting Diode）３４が並べられて固定されており、LED３４は試料１３に照明光を照射することで、試料１３を照明する。
【００１９】
また、ヘッド２１内部のステージ３１側の端には、LED３４に囲まれるように対物レンズ３５が設けられ、ヘッド２１内部の中央には、試料１３からの観察光の像の倍率を変化させるズーム光学系３６と、観察光の像を形成する結像光学系３７とが設けられている。さらに、ヘッド２１内部の対物レンズ３５の設けられた端と反対側の端には、結像光学系３７により形成された観察光の像を撮像することで、試料１３の観察画像、より詳細には観察画像の画像データを得るCCD３８が設けられている。
【００２０】
ヘッド２１には、液晶パネルなどからなり、CCD３８により撮像された観察画像を表示する折りたたみ式の小型モニタ部３９が設けられている。この小型モニタ部３９には、ズーム光学系３６のズーム倍率を変化させるためのボタンや、LED３４からの照明光の光量等を調整するためのボタン等、ヘッド２１の動作を制御するための各種のボタンも設けられている。
【００２１】
さらに、ヘッド２１内部には、ヘッド２１全体の動作を制御する制御基板４０が設けられており、制御基板４０は、図示せぬ電気接続部を介して、スタンド２２内の制御基板４１と電気的に接続される。例えば、制御基板４０は、制御基板４１から供給された指令に基づいてヘッド２１の各部を動作させたり、CCD３８により撮像された観察画像を制御基板４１に供給したりする。
【００２２】
その他、ヘッド２１内部には、ヘッド２１の各部に電力を供給するバッテリや、CCD３８で撮像された観察画像を記録するメモリなども設けられている。
【００２３】
スタンド２２には、スタンド２２全体の動作を制御する制御基板４１が設けられており、制御基板４１は、制御基板４０から供給された観察画像を、図示せぬメモリに供給して記録させたり、観察画像をモニタ１２に供給して表示させたりする。また、制御基板４１は、ヘッド２１に観察画像をキャプチャさせるためのボタン等からなるボタン群４２が操作されると、その操作に応じた指令を制御基板４０に供給する。
【００２４】
スタンド２２には、ステージ３１を図中、横方向または奥行き方向に移動させるときに操作される図示せぬハンドルが設けられている。なお、ステージ３１は、機械的な機構により、手動で駆動されてもよく、電動駆動されてもよい。さらに、ステージ３１が回転したり、傾斜したりするような機構が設けられてもよい。
【００２５】
また、スタンド２２には、ヘッド２１が接続されるアーム４３が設けられており、アーム４３は、スタンド２２に設けられた上下動ハンドル４４が操作されると、スタンド２２に対して図中、上下方向に移動する。ユーザは、上下動ハンドル４４を操作することで、ステージ３１に対してヘッド２１を、対物レンズ３５等からなるヘッド２１の光学系の光軸方向に移動させ、ピント調整を行うことができる。なお、アーム４３も手動または電動の何れにより駆動されてもよい。さらにアーム４３には、クランプ機構によりヘッド２１をアーム４３に固定させるときに操作されるレバー４５が設けられている。
【００２６】
［ヘッドの外観構成例］
次に、図２および図３に、ヘッド２１がスタンド２２から取り外された状態を示す。ここで、図２はヘッド２１の斜視図であり、図３はヘッド２１の上面図、つまりヘッド２１を図１中、左側から右方向に見た図である。なお、図２および図３において、図１における場合と対応する部分には同一の符号を付してあり、その説明は適宜省略する。
【００２７】
ヘッド２１をスタンド２２から取り外して、携帯型顕微鏡として使用する場合、ユーザは把持部３２を把持し、図２中、ヘッド２１の右下側の端面７１を試料１３に向けて、ヘッド２１に試料１３の観察画像を撮像させる。
【００２８】
このとき、試料１３からの観察光は、端面７１に設けられた窓から対物レンズ３５乃至結像光学系３７を通って、CCD３８に入射する。そして、CCD３８により観察光が受光されて光電変換されると、その結果得られた観察画像が、小型モニタ部３９に表示される。より詳細には、観察画像は、小型モニタ部３９の図２中、手前側の面と対向する面に設けられた液晶パネルに表示される。
【００２９】
そして、ユーザが小型モニタ部３９に表示された観察画像を確認しながら、ボタン３３を押すと、制御基板４０はCCD３８により撮像された観察画像をキャプチャし、図示せぬメモリに記録させる。
【００３０】
なお、小型モニタ部３９は、図２中、小型モニタ部３９の左側の端に設けられた、縦方向に長い図示せぬ軸を中心として回動するようになされている。すなわち、小型モニタ部３９を折りたたむことが可能とされている。
【００３１】
また、ヘッド２１には、ヘッド２１の筐体に沿って長いオスアリ７２が設けられている。このオスアリ７２は、ヘッド２１の筐体に設けられた突出部であり、ヘッド２１とスタンド２２とを機械的に接続する機械接続部として機能する。
【００３２】
オスアリ７２の図２中、左側の端近傍には、ヘッド２１のスタンド２２への装着時に、ヘッド２１をアーム４３に押し当てて係止させる当接面７３が設けられている。この当接面７３は、その面がオスアリ７２の長手方向と略直交するようになされている。
【００３３】
さらに、ヘッド２１の当接面７３と隣接する位置には、ヘッド２１とスタンド２２を電気的に接続する電気接続部としてのメスコネクタ７４が設けられている。例えば、メスコネクタ７４は、図３に示すように、オスアリ７２に対して、オスアリ７２の長手方向と略垂直な方向、つまり図３中、横方向に予め定められた所定の距離だけ離れた位置に配置されている。
【００３４】
［スタンドの外観構成例］
このように、ヘッド２１には、機械接続部としてのオスアリ７２と、電気接続部としてのメスコネクタ７４とが設けられているが、スタンド２２にもこれらのオスアリ７２とメスコネクタ７４に対応する機械接続部と電気接続部が設けられている。
【００３５】
図４乃至図６にスタンド２２のアーム４３のより詳細な外観構成例を示す。ここで、図４はアーム４３の斜視図であり、図５および図６は、アーム４３の上面図および右側面図である。つまり、図５は、アーム４３を図１中、上から下方向に見た図であり、図６は、アーム４３を図１中、正面から見た図である。なお、図４乃至図６において、図１における場合と対応する部分には同一の符号を付してあり、その説明は適宜省略する。
【００３６】
図４に示すように、ヘッド２１が押し当てられるアーム４３の図４中、手前側の当接面１０１には、図４中、縦方向に長い溝が設けられてメスアリ１０２とされている。このメスアリ１０２は、ヘッド２１とスタンド２２とを機械的に接続する機械接続部として機能する。
【００３７】
すなわち、メスアリ１０２の図４中、上側の端から、オスアリ７２の図３中、下側の端が挿入されてオスアリ７２とメスアリ１０２が嵌合されることで、ヘッド２１とスタンド２２とが機械的に接続される。このとき、当接面１０１と直交するアーム４３の当接面１０３に対してヘッド２１の当接面７３が押し当てられ、ヘッド２１が係止される。
【００３８】
また、当接面１０３には、当接面１０１から、アーム４３の当接面１０１と対向する面の方向に予め定められた距離Ｄだけ離れた位置に、ヘッド２１のメスコネクタ７４と嵌合するオスコネクタ１０４が設けられている。すなわち、メスアリ１０２とオスコネクタ１０４の相対的な位置関係は、ヘッド２１におけるオスアリ７２とメスコネクタ７４の相対的な位置関係と同じとなっている。
【００３９】
さらに図４の例では、オスコネクタ１０４がメスコネクタ７４に挿入される方向は、オスアリ７２がメスアリ１０２に挿入される方向と同じ方向、つまり図４中、縦方向となっている。そのため、オスアリ７２とメスアリ１０２が嵌合されると、それと同時にメスコネクタ７４とオスコネクタ１０４が嵌合されることになる。すなわち、ヘッド２１がアーム４３に装着されると、ヘッド２１とスタンド２２は、機械的に接続されると同時に電気的にも接続されることになる。
【００４０】
なお、オスコネクタ１０４がメスコネクタ７４に挿入可能な限度まで挿入された状態において、当接面７３が当接面１０３に押し当てられていないと、挿入方向に対してヘッド２１は、オスコネクタ１０４およびメスコネクタ７４によって支えられている状態となる。そのような状態ではヘッド２１は不安定であるだけでなく、オスコネクタ１０４、またはメスコネクタ７４、或いはその両方が破損してしまう恐れがある。
【００４１】
そこで、顕微鏡１１では、オスコネクタ１０４がメスコネクタ７４に挿入可能な限度まで挿入された状態となる前に、当接面７３が当接面１０３に押し当てられて、ヘッド２１が図４中、下方向に移動しないようにヘッド２１が係止されるようになされている。つまり、ヘッド２１が当接面１０３に係止されている状態では、オスコネクタ１０４は、メスコネクタ７４に挿入されているが、挿入可能な限度まではメスコネクタ７４に挿入されておらず、かつヘッド２１とスタンド２２は電気的に接続された状態となっている。
【００４２】
このように、オスコネクタ１０４が、挿入可能な限度までメスコネクタ７４に挿入される前に、ヘッド２１が当接面１０３に係止されるようにすることで、オスコネクタ１０４の破損を防止することができる。
【００４３】
また、より詳細には、オスコネクタ１０４は、ばね機構等により、図４中、横方向および奥行き方向、つまり当接面１０３と平行な方向に僅かに可動するようになされている。これにより、オスアリ７２およびメスコネクタ７４の相対的な位置関係と、メスアリ１０２およびオスコネクタ１０４の相対的な位置関係とに、何らかの要因によりずれが生じてしまった場合でも、そのずれがオスコネクタ１０４の移動により許容され、ヘッド２１が正しくスタンド２２に装着される。
【００４４】
このように、オスコネクタ１０４が可動するようにすることで、スタンド２２に取り付けるヘッド２１の機差、オスアリ７２のガタ、ヘッド２１の製造誤差等を許容することができるようになる。
【００４５】
さらに、顕微鏡１１では、図５に示すように、当接面１０１からオスコネクタ１０４までの距離Ｄが、オスアリ７２の厚みＢよりも長くなるようにされている。なお、図５は、ヘッド２１がアーム４３に取り付けられた状態を示しており、図５では、ヘッド２１の各部は点線で表されている。
【００４６】
図５に示すように、オスコネクタ１０４を、当接面１０１と垂直な方向に対して、オスアリ７２の厚みＢよりも当接面１０１から離れた位置に配置することで、ヘッド２１のスタンド２２への装着時に起こり得るオスコネクタ１０４の破損を防止することができる。
【００４７】
例えば、図２におけるオスアリ７２の図中、右端にオスコネクタが設けられているとすると、オスアリ７２をメスアリ１０２に嵌合させようとするときに、オスアリ７２の先端に設けられたオスコネクタが、当接面１０３等にぶつかってしまうことがある。このようにアリとコネクタを一体的に設けると、ヘッド２１をアーム４３に装着しようとするときに、コネクタがアーム４３にぶつかって破損してしまう恐れがある。
【００４８】
これに対して、オスコネクタ１０４やメスコネクタ７４を、メスアリ１０２やオスアリ７２と異なる位置に設ければ、オスアリ７２とメスアリ１０２の嵌合時に、オスコネクタ１０４やメスコネクタ７４が他の部位に当たってしまうことを防止することができる。
【００４９】
ヘッド２１をアーム４３に取り付ける場合、ユーザはまず、ヘッド２１の筐体における図２中、オスアリ７２の右下の部分をアーム４３の当接面１０１に当てて、オスアリ７２とメスアリ１０２の位置合わせを行なう。そして、オスアリ７２の先端がメスアリ１０２の端に挿入されると、ユーザは、当接面７３が当接面１０３に押し当てられるまで、ヘッド２１をメスアリ１０２の長手方向に沿って移動させることで、オスアリ７２とメスアリ１０２を嵌合させる。
【００５０】
このとき、ヘッド２１の筐体（例えば、図２のＡ１１の部分）を当接面１０１に当ててしまっても、オスアリ７２が当接面１０３における面１０２ａよりも奥に行くことはない。そこで、オスアリ７２の厚みＢよりも長い距離Ｄだけ当接面１０１から離れた位置にオスコネクタ１０４を配置すれば、ヘッド２１の取り付け時にオスアリ７２等のヘッド２１の部位がオスコネクタ１０４に当たり、オスコネクタ１０４が破損してしまうこともない。
【００５１】
なお、ここでいうオスアリ７２の厚みＢとは、ヘッド２１とスタンド２２が接続された図５に示す状態における、メスアリ１０２とオスコネクタ１０４が並ぶ方向、つまり図５中、縦方向のオスアリ７２の長さをいう。
【００５２】
また、アーム４３におけるメスアリ１０２の位置は、ヘッド２１をアーム４３に取り付けたときに、ヘッド２１の光学系が適切な位置となるように設計される。
【００５３】
例えば、スタンド２２のステージ３１が基準となる位置にある状態、すなわちステージ３１の稼動範囲が中心振り分けとなる位置において、ヘッド２１がアーム４３に取り付けられたときに、ヘッド２１内部の光学系の光軸がステージ３１の中心に位置するようになされる。換言すれば、ステージ３１が基準となる位置にある状態において、対物レンズ３５の視野中心が、ステージ３１の中心の位置となるように、メスアリ１０２の位置が定められる。
【００５４】
さらに、例えばヘッド２１をアーム４３に取り付けて、アーム４３を図１中、下方向の限度まで移動させた状態において、対物レンズ３５の焦点面がステージ３１の試料１３が載置されている載置面と一致するように、メスアリ１０２と当接面１０３の配置位置が定められる。すなわち、対物レンズ３５が最もステージ３１に近付いた状態となるように、アーム４３を図１中、最下端まで移動させた場合に、ヘッド２１の光学系のピントがステージ３１の載置面に合うように、アーム４３におけるメスアリ１０２や当接面１０３の位置が定められる。
【００５５】
このように、ヘッド２１の光学系の位置を考慮して、アーム４３上の当接面１０３の高さやメスアリ１０２の位置を定めることで、より適切に試料１３を観察できるようになり、試料１３の観察環境を向上させることができる。
【００５６】
なお、より詳細には、嵌合し易くするため、メスアリ１０２等の寸法誤差を許容するためなどの理由により、オスアリ７２よりもメスアリ１０２のほうが大きく形成されている。そのため、ヘッド２１を当接面１０３で係止させても、振動等によりヘッド２１ががたつくことがある。
【００５７】
そこで、顕微鏡１１では、よりヘッド２１がアーム４３に強固に固定されるように、クランプ機構が設けられている。このクランプ機構によれば、図５に示すようにオスアリ７２とメスアリ１０２が嵌合された状態で、オスアリ７２の側面７２ａが、メスアリ１０２の側面１０２ｂに押し当てられるように、オスアリ７２が図５中、右方向に押される。
【００５８】
具体的には、図６に示すように、アーム４３には、レバー４５が図６中、上側から下側に移動するようにレバー４５を回動させると、レバー４５に加えられた力が伝達されて移動する棒状のクランプ１３１が設けられている。クランプ１３１は、メスアリ１０２の長手方向の略中央に位置するように、メスアリ１０２の側面に配置されている。
【００５９】
ユーザがレバー４５を図６中、下側に回動させるとクランプ１３１は図中、右方向に移動し、これによりオスアリ７２がクランプ１３１に押されて、オスアリ７２の側面７２ａが、メスアリ１０２の側面１０２ｂに押し当てられる。
【００６０】
ここで、側面７２ａと側面１０２ｂは、当接面１０１に対して斜め方向に傾斜していることから、オスアリ７２がクランプ１３１に押されると、オスアリ７２は、図５中、右斜め上方向に押さえつけられることになる。
【００６１】
これにより、ヘッド２１の筐体と当接面１０１、および側面７２ａと側面１０２ｂがそれぞれ密着し、ヘッド２１がアーム４３に対して強固に固定される。すなわち、ヘッド２１が、図５中、縦方向および横方向に動かなくなるように固定される。
【００６２】
また、ヘッド２１をアーム４３から取り外すときは、ユーザはレバー４５が、図６中、上側、つまり図６に示す状態となるようにレバー４５を回動させて、ヘッド２１をアーム４３から抜き取る。
【００６３】
以上のように、スタンド２２のメスアリ１０２とオスコネクタ１０４とを互いに異なる位置に設けることで、スタンド２２とヘッド２１を機械的および電気的に接続する場合に、オスコネクタ１０４にヘッド２１の各部位が当たりにくくすることができる。これにより、ヘッド２１の装着時にオスコネクタ１０４が破損してしまうことを防止することができる。特に、メスアリ１０２の当接面１０１からオスアリ７２の厚みより長い距離だけ離れた位置にオスコネクタ１０４を配置することで、ヘッド２１がオスコネクタ１０４に当たらないようにすることができる。
【００６４】
なお、以上においては、機械接続部および電気接続部として、スタンド２２にメスアリ１０２とオスコネクタ１０４が設けられ、ヘッド２１にオスアリ７２とメスコネクタ７４が設けられると説明したが、これらのアリやコネクタの一方または両方が逆に設けられてもよい。
【００６５】
すなわち、例えば電気接続部として、スタンド２２にメスコネクタ７４が設けられ、ヘッド２１にオスコネクタ１０４が設けられるようにしてもよい。そのような場合には、例えばヘッド２１に設けられたオスコネクタ１０４が、ヘッド２１に対して当接面７３と平行な方向に可動するようになされる。
【００６６】
さらに、以上においては、スタンド２２に設けられたオスコネクタ１０４の破損が防止されると説明したが、スタンド２２とヘッド２１とでは、アリとコネクタが同じ位置関係で設けられているので、ヘッド２１に設けられた電気接続部としてのメスコネクタ７４の破損も防止されることになる。
【００６７】
なお、本発明の実施の形態は、上述した実施の形態に限定されるものではなく、本発明の要旨を逸脱しない範囲において種々の変更が可能である。
【符号の説明】
【００６８】
１１  顕微鏡，  ２１  ヘッド，  ２２  スタンド，  ４３  アーム，  ７２  オスアリ，  ７３  当接面，  ７４  メスコネクタ，  １０１  当接面，  １０２  メスアリ，  １０３  当接面，  １０４  オスコネクタ，  １３１  クランプ
【図１】
0005561052.tif 000002
【図２】
0005561052.tif 000003
【図３】
0005561052.tif 000004
【図４】
0005561052.tif 000005
【図５】
0005561052.tif 000006
【図６】
0005561052.tif 000007